(57)【要約】  【課題】遊技機の設計を変更することなく、遊技媒体貸出装置において遊技状態に関する信号に基づく処理を実行する。  【解決手段】遊技機２における遊技状態に関する信号（大当たり発生信号など）を、表示装置８の信号入力部８２に入力する。表示装置８は、遊技機２から入力された遊技状態に関する信号を、第１信号出力部８２から台間機１に出力するとともに、第２信号出力部８４からホールコンピュータに出力する。台間機１は、表示装置８から出力された遊技状態に関する信号に基づいて、遊技者に特典を付与するか否かを決定するための特典付与抽選を行う。【選択図】        図３
2005296460.tif 000002
【特許請求の範囲】
【請求項１】
遊技機から出力される遊技状態に関する信号を表示装置に入力して、この表示装置に遊技に関する情報を表示させることができる遊技システムであって、
上記遊技機における遊技に使用する遊技媒体を貸し出すための遊技媒体貸出装置と、
上記遊技機から上記表示装置に入力される遊技状態に関する信号を、上記表示装置から上記遊技媒体貸出装置へと出力する第１信号出力手段と、
上記第１信号出力手段によって出力される遊技状態に関する信号に基づいて、上記遊技媒体貸出装置において所定の処理を行う処理手段とを含むことを特徴とする遊技システム。
【請求項２】
上記遊技機における遊技に関する情報を管理する管理装置と、
上記遊技機から上記表示装置に入力される遊技状態に関する信号を、上記表示装置から上記管理装置へと出力する第２信号出力手段とを含むことを特徴とする請求項１記載の遊技システム。
【請求項３】
上記処理手段は、上記第１信号出力手段によって出力される遊技状態に関する信号に基づいて所定の抽選を行うものであって、
上記所定の抽選に当選した場合に遊技者に特典を付与するための特典付与手段を含むことを特徴とする請求項１または２記載の遊技システム。
【請求項４】
遊技機から出力される遊技状態に関する信号を入力するための信号入力手段と、
上記信号入力手段によって上記遊技機から入力される遊技状態に関する信号に基づいて、遊技に関する情報を表示する表示手段と、
上記信号入力手段によって上記遊技機から入力される遊技状態に関する信号を、上記遊技機における遊技に使用する遊技媒体を貸し出すための遊技媒体貸出装置へと出力するための信号出力手段とを含むことを特徴とする表示装置。
【発明の詳細な説明】
【技術分野】
【０００１】
この発明は、遊技機から出力される遊技状態に関する信号を表示装置に入力して、この表示装置に遊技に関する情報を表示させることができる遊技システムおよびこれに適用される表示装置に関する。
【背景技術】
【０００２】
ホール（遊技場）に設置されるパチンコ機などの遊技機には、その遊技機における遊技に使用する遊技媒体（たとえば、パチンコ球）を貸し出すための遊技媒体貸出装置と、その遊技機における遊技に関する情報を表示させるための表示装置とが対応付けて設置される場合がある。
遊技機における遊技状態に関する信号（大当たり抽選などの抽選に当選した旨を表す信号など）は、表示装置に入力されるようになっている。表示装置は、遊技機から入力される遊技状態に関する信号に基づいて情報を表示するとともに、その信号を管理装置へと出力する。管理装置は、遊技機における遊技に関する情報を管理するものであって、ホールに複数台の遊技機を設置した場合には、各遊技機から表示装置を介して入力される遊技状態に関する信号に基づいて、各遊技機の遊技に関する情報を管理することができるようになっている。
【０００３】
遊技媒体貸出装置には、遊技媒体の貸し出しに関する信号が遊技機から入力される。遊技媒体貸出装置は、遊技機から入力される信号に基づいて所定数の遊技媒体を払い出すことにより、遊技媒体の貸し出しを行う。
通常、遊技機には、遊技状態に関する信号を表示装置に出力するための遊技信号出力端子と、遊技媒体の貸し出しに関する信号を出力するための貸出信号出力端子とが備えられている。遊技信号出力端子が表示装置に接続され、貸出信号出力端子が遊技媒体貸出装置に接続されることにより、上述のような、遊技機、表示装置、遊技媒体貸出装置および管理装置の間での信号の送受信が可能になる。
【０００４】
特許文献１には、遊技機から遊技媒体貸出装置に遊技状態に関する信号を入力し、その信号に基づいて、遊技媒体貸出装置において所定の処理（たとえば、ラッキーゲーム）を実行するような構成が開示されている。
【特許文献１】特開平１０−１５６０１０号公報
【発明の開示】
【発明が解決しようとする課題】
【０００５】
特許文献１に開示されているような構成では、表示装置および遊技媒体貸出装置の双方に遊技状態に関する信号を入力しなければならない。したがって、表示装置に接続される遊技信号出力端子とは別に、遊技媒体貸出装置に接続するための遊技信号出力端子を設ける必要がある。
しかしながら、遊技機に設ける出力端子の数が多くなると、それらの出力端子から出力される遊技状態に関する信号を利用した不正行為を助長するおそれがあるため、遊技機の設計を変更して、表示装置に接続される遊技信号出力端子とは別に遊技媒体貸出装置に接続するための遊技信号出力端子を設けることは好ましくない。
【０００６】
この発明は、かかる背景のもとでなされたもので、遊技機の設計を変更することなく、遊技媒体貸出装置において遊技状態に関する信号に基づく処理を実行することができる遊技システムおよびこれに適用される表示装置を提供することを目的とする。
【課題を解決するための手段】
【０００７】
上記目的を達成するための請求項１記載の発明は、遊技機（２）から出力される遊技状態に関する信号を表示装置（８，８Ａ）に入力して、この表示装置に遊技に関する情報を表示させることができる遊技システムであって、上記遊技機における遊技に使用する遊技媒体を貸し出すための遊技媒体貸出装置（１）と、上記遊技機から上記表示装置に入力される遊技状態に関する信号を、上記表示装置から上記遊技媒体貸出装置へと出力する第１信号出力手段（８３，８３Ａ）と、上記第１信号出力手段によって出力される遊技状態に関する信号に基づいて、上記遊技媒体貸出装置において所定の処理を行う処理手段（１７）とを含むことを特徴とする遊技システムである。
【０００８】
なお、括弧内の英数字は、後述の実施形態における対応構成要素を表す。以下、この項において同じ。
この構成によれば、遊技機から表示装置に入力される遊技状態に関する信号を、当該表示装置から遊技媒体貸出装置へと出力し、その信号に基づいて、遊技媒体貸出装置において所定の処理を行うことができる。したがって、遊技機の設計を変更することなく、遊技媒体貸出装置において遊技状態に関する信号に基づく処理を実行することができる。
【０００９】
請求項２記載の発明は、上記遊技機（２）における遊技に関する情報を管理する管理装置（７）と、上記遊技機から上記表示装置（８）に入力される遊技状態に関する信号を、上記表示装置から上記管理装置へと出力する第２信号出力手段（８４）とを含むことを特徴とする請求項１記載の遊技システムである。
この構成によれば、遊技機から表示装置に入力される遊技状態に関する信号を、当該表示装置から管理装置にも出力し、その信号に基づいて、管理装置において遊技機における遊技に関する情報を管理することができる。
【００１０】
従来から、ホールでは、複数台の遊技機を設置した場合に、各遊技機から表示装置を介して管理装置に遊技状態に関する信号を入力して、各遊技機の遊技に関する情報を管理装置で管理するようなシステムが採用されており、この発明の構成によれば、上記のような従来のシステムを変更することなく、遊技媒体貸出装置において遊技状態に関する信号に基づく処理を実行することができる。
【００１１】
請求項３記載の発明は、上記処理手段（１７）は、上記第１信号出力手段（８３，８３Ａ）によって出力される遊技状態に関する信号に基づいて所定の抽選を行うものであって、上記所定の抽選に当選した場合に遊技者に特典を付与するための特典付与手段（１７）を含むことを特徴とする請求項１または２記載の遊技システムである。
この構成によれば、遊技媒体貸出装置において遊技機から表示装置を介して入力される信号に基づいて所定の抽選を行い、その抽選に当選した場合に遊技者に特典を付与することができる。したがって、遊技機から表示装置を介して遊技媒体貸出装置に入力される信号に基づいて、より興趣のある遊技を行うことができる。
【００１２】
請求項４記載の発明は、遊技機（２）から出力される遊技状態に関する信号を入力するための信号入力手段（８２，８２Ａ）と、上記信号入力手段によって上記遊技機から入力される遊技状態に関する信号に基づいて、遊技に関する情報を表示する表示手段（８１，８１Ａ）と、上記信号入力手段によって上記遊技機から入力される遊技状態に関する信号を、上記遊技機における遊技に使用する遊技媒体を貸し出すための遊技媒体貸出装置（１）へと出力するための信号出力手段（８３，８３Ａ）とを含むことを特徴とする表示装置（８，８Ａ）である。
【００１３】
この構成によれば、遊技機から表示装置に入力される遊技状態に関する信号を、当該表示装置から遊技媒体貸出装置および管理装置に出力することができる。
したがって、遊技機の設計を変更することなく、遊技機から入力される遊技状態に関する信号に基づいて、遊技媒体貸出装置において遊技状態に関する信号に基づく処理を実行することができるとともに、管理装置において遊技機における遊技に関する情報を管理することができる。
【００１４】
上記信号入力手段（８２）によって上記遊技機（２）から入力される遊技状態に関する信号を、上記遊技機における遊技に関する情報を管理する管理装置（７）へと出力するための第２信号出力手段（８４）をさらに含むような構成であってもよい。
従来から、ホールでは、複数台の遊技機を設置した場合に、各遊技機から表示装置を介して管理装置に遊技状態に関する信号を入力して、各遊技機の遊技に関する情報を管理装置で管理するようなシステムが採用されており、この構成によれば、上記のような従来のシステムを変更することなく、遊技媒体貸出装置において遊技状態に関する信号に基づく処理を実行することができる。
【発明を実施するための最良の形態】
【００１５】
以下には、図面を参照して、この発明の実施形態について具体的に説明する。
図１は、この発明の一実施形態に係る遊技システムの構成を示すブロック図である。
この遊技システムは、ホール（遊技場）に設置された複数台の遊技機２（たとえば、パチンコ機やパチスロ機など）と、各遊技機２に一対一に対応付けられた複数台の台間機１と、各遊技機２に一対一に対応付けられた複数台の表示装置８（いわゆるデータカウンタ）とを含む。台間機１、遊技機２および表示装置８は、たとえば、複数の遊技機島Ａ，Ｂごとに複数台ずつ設置されていて、台間機１と遊技機２とは、各遊技機島Ａ，Ｂにおいて、互いに隣接するように交互に配置されている。各表示装置８は、たとえば、対応する遊技機２の上方に配置されている。
【００１６】
台間機１は、対応する遊技機２における遊技に使用する遊技媒体（たとえば、パチンコ球やパチスロメダル）を貸し出すための装置である。各台間機１は、遊技媒体の貸し出しに関するデータを、各遊技機島Ａ，Ｂに対応付けられた中継装置３を介して、ホールに設置された情報管理装置４に送信する。
また、ホールには、投入金額に相当する有価価値が記憶された遊技カードを発行（販売）するカード販売機９１と、遊技カードに記憶されている有価価値の残高を精算して、その残高に相当する金額の貨幣を払い戻すためのカード精算機９２とが設置されていて、カード販売機９１における遊技カードの販売量や、カード精算機９２における精算量（回収量）などに関するデータも情報管理装置４に送信されるようになっている。
【００１７】
情報管理装置４は、たとえば、ホールの管理する設備とは独立した装置であって、システム管理会社に設置されたシステム管理装置５と専用の通信回線を介して通信可能に接続されている。システム管理会社は、ホールに設置された台間機１による遊技媒体の貸し出しに関するシステム（遊技媒体貸出システム）を管理するものである。情報管理装置４は、台間機１、カード販売機９１およびカード精算機９２から送られてくる利用データを集計し、その集計した利用データ（利用集計データ）を、ホールが閉店した後にシステム管理装置５に送信する。情報管理装置４からシステム管理装置５に送信された利用集計データは、システム管理会社がホールから徴収すべき遊技媒体貸出システムのシステム利用料の算出基準として用いられる。
【００１８】
表示装置８は、対応する遊技機２における遊技に関する情報を表示するための装置であって、対応する遊技機２および台間機１に接続されている。各台間機１および各表示装置８は、各遊技機島Ａ，Ｂに対応付けられた中継装置６を介して、ホールに設置されたホールコンピュータ７に接続されている。これにより、各台間機１における遊技媒体の貸し出しに関するデータが、中継装置６を介してホールコンピュータ７に送信されるとともに、各遊技機２における遊技状態に関するデータが、対応する表示装置８および中継装置６を介してホールコンピュータ７に送信されるようになっている。ホールコンピュータ７は、各台間機１および各遊技機２からのデータに基づいて、ホール全体の遊技機２における遊技に関する情報を管理するものである。
【００１９】
図２は、台間機１、遊技機２および表示装置８の外観構成を示す概略正面図である。また、図３は、台間機１、遊技機２および表示装置８の電気的構成を示すブロック図である。図２および図３では、遊技機２が、遊技盤２０に向けてパチンコ球を発射することにより遊技を行うパチンコ機である場合について説明する。
図２および図３を参照して、台間機１には、遊技カードを挿入または排出するためのカード挿入／排出口１１が前面下部に配置されている。遊技カードは、上述の通り、ホールに設置されたカード販売機９１で購入することができる他、台間機１の前面上部に配置された貨幣投入口１２から貨幣（紙幣または硬貨）を投入することにより購入することができるようになっている。貨幣投入口１２の上方には、貨幣を貨幣投入口１２に投入可能な状態か否かを表示するための貨幣投入可表示ランプ１３が配置されている。貨幣投入可表示ランプ１３は、たとえば、貨幣投入口１２から貨幣を投入可能な状態のときに点灯される。貨幣挿入口１２の下方には、液晶表示器１６が配置されている。
【００２０】
貨幣投入口１２に貨幣を投入することにより購入された遊技カードは、カード挿入／排出口１１から排出されるようになっており、その遊技カードが再びカード挿入／排出口１１に挿入され、所定の操作が行われることにより、遊技機２における遊技に使用される遊技媒体（パチンコ球）が遊技者に貸し出されるようになっている。
カード挿入／排出口１１の上方には、台間機１内に遊技カードが挿入されていることを表示するためのカード挿入中表示ランプ１４が配置されている。カード挿入中表示ランプ１４は、たとえば、遊技カードがカード挿入／排出口１１に挿入されている状態で点灯される。また、カード挿入中表示ランプ１４の上方には、カード挿入／排出口１１に遊技カードを挿入可能な状態か否かを表示するためのカード挿入可否表示ランプ１５が配置されている。カード挿入可否表示ランプ１５は、たとえば、カード挿入／排出口１１に遊技カードを挿入可能な状態のときに点灯される。
【００２１】
台間機１内には、当該台間機１の制御を司る台間機制御基板１７が備えられている。この台間機制御基板１７には、貨幣投入口１２を含む貨幣投入部１２１を介して貨幣投入可表示ランプ１３が接続されるとともに、カード挿入／排出口１１を含むカード挿入／排出部１１１を介してカード挿入中表示ランプ１４およびカード挿入可否表示ランプ１５が接続されている。
【００２２】
また、台間機１内には、液晶表示器１６の表示を制御するための画像表示基板１８が備えられていて、液晶表示器１６は、この画像表示基板１８を介して台間機制御基板１７に接続されていている。
台間機１の構成は、上記のような構成に限らず、たとえば、ホールの会員に予め付与された会員カードを挿入するための会員カード挿入口が備えられていてもよい。
【００２３】
遊技機２の前面には、発射装置（図示せず）から遊技盤２０に向けて発射するパチンコ球の勢いを調節するためのハンドル２１と、発射装置から遊技盤２０に向けて発射すべきパチンコ球を貯留しておくための上皿２２と、上皿２２に貯留しきれないパチンコ球を受けるための下皿２３とが備えられている。
遊技盤２０の周縁には、遊技盤の下方から発射されたパチンコ球を遊技盤２０の左側上部に導くための略円弧状のガイドレール（図示せず）が配置されている。遊技盤２０には、多数本の障害釘が配設されており、ガイドレールに沿って遊技盤２０の左側上部から右斜め上方に向けて放たれたパチンコ球は、遊技盤２０の盤面に沿って多数本の障害釘の間を通って落下していく。
【００２４】
遊技盤２０のほぼ中央には、可変表示器２０１が配置されている。この可変表示器２０１は、たとえば液晶表示器やドラム表示器などを含む構成であって、複数種類の図柄を変動表示できるようになっている。
可変表示器２０１の下方には、遊技盤２０の盤面に沿って落下するパチンコ球が入球可能な始動口２０２が配置されている。この始動口２０２にパチンコ球が入ると、パチンコ球払出装置２６により予め定める個数の賞球（パチンコ球）が上皿２２に払い出されるとともに、遊技者に有利な（多数個の賞球を獲得可能な）大当たり遊技を実行するか否かを決定するための大当たり抽選が行われる。
【００２５】
大当たり抽選の結果は、可変表示器２０１に変動状態から停止表示される図柄によって遊技者に報知されるようになっている。すなわち、始動口２０２にパチンコ球が入るのに応答して可変表示器２０１の図柄が変動し、所定時間経過後に予め定める大当たり図柄が停止した場合には、大当たりとなり、その後に大当たり遊技が実行される。可変表示器２０１に停止した図柄が大当たり図柄の中でも特定の図柄（確変図柄）である場合には、その大当たりに対する大当たり遊技の終了後、大当たり抽選に当選する確率が通常モードよりも高く設定されたモード（いわゆる確変モード）が実行されるようになっている。
【００２６】
始動口２０２の下方には、たとえば、左右に長い長方形状に形成され、複数個のパチンコ球が同時に入球可能な大入賞口２０３が配置されている。この大入賞口２０３には、大入賞口２０３にパチンコ球を案内する開状態および大入賞口２０３にパチンコ球が入るのを阻止する閉状態に開閉可能な開閉板２０４が関連して設けられている。すなわち、開閉板２０４は、遊技盤２０の盤面に沿った状態で大入賞口２０３を閉塞して、大入賞口２０３にパチンコ球が入るのを阻止することができる一方、この状態から大入賞口２０３の下端縁に沿って配置された回動軸（図示せず）を中心に手前側に傾倒することにより、大入賞口２０３を開放して、大入賞口２０３上に落下してくるパチンコ球を大入賞口２０３内に導き入れることができる。
【００２７】
大当たり遊技中は、開閉板２０４による大入賞口２０３の開放動作が所定時間だけ行われる。大入賞口２０３へのパチンコ球の入球に対しては、予め定める個数の賞球がパチンコ球払出装置２６から上皿２２に払い出されるようになっている。大当たり遊技では、容易にパチンコ球が大入賞口２０３に入るので、遊技者は多数個の賞球を獲得することができる。
【００２８】
始動口２０２および大入賞口２０３のいずれにも入らなかったパチンコ球（アウト球）は、遊技盤２０の下部に形成されたアウト球回収口２０５から機内に回収される。
上皿２２の前面右端部には、台間機１に遊技媒体の貸し出しに関する指令を与えたり、台間機１からの遊技媒体の貸し出しに関するデータに基づく表示を行ったりするための操作表示部２４が配置されている。より具体的には、操作表示部２４には、台間機１のカード挿入／排出口１１に挿入されている遊技カードに記憶されている有価価値の残高を度数（たとえば、１度数／１００円）により表示する残高表示部２４１と、遊技カードに記憶されている有価価値を使用して遊技媒体の貸し出しを受けることができる状態であるか否かを報知するための貸出可表示ランプ２４２と、遊技カードに記録された有価価値を使用して遊技媒体の貸し出しを受ける際に押操作する貸出ボタン２４３と、当該遊技機２における遊技を終了する際に遊技カードを返却（排出）させるために押操作するカード返却ボタン２４４とが備えられている。
【００２９】
遊技機２内には、当該遊技機２の制御を司る主制御基板２５が備えられている。この主制御基板２５には、パチンコ球払出装置基板２７を介してパチンコ球払出装置２６が接続されている。この遊技機２における遊技中に所定の条件が成立した場合（始動口２０２や大入賞口２０３にパチンコ球が入った場合など）には、所定個数の賞球を払い出すべき旨の信号が主制御基板２５からパチンコ球払出装置基板２７に送信され、この信号を受信したパチンコ球払出装置基板２７は、パチンコ球払出装置２６から上記所定個数のパチンコ球を賞球として払い出すよう制御を行うこととなる。
【００３０】
残高表示部２４１、貸出可表示ランプ２４２、貸出ボタン２４３、カード返却ボタン２４４およびパチンコ球払出装置基板２７は、球貸用中継基板２８を介して、台間機１の台間機制御基板１７に接続されている。台間機１の台間機制御基板１７と、遊技機２の球貸用中継基板２８との間では、遊技媒体の貸し出しに関する信号が送受信される。
遊技機２には、当該遊技機２における遊技状態に関する信号を出力するための出力部などを備えた外部出力端子板２９が備えられている。この外部出力端子板２９に備えられた出力部は、主制御基板２５に接続されている。
【００３１】
表示装置８は、その前面に液晶表示器８１を備えていて、この液晶表示器８１に遊技機２における遊技に関する情報を表示させることができる。表示装置８内には、当該表示装置８の制御を司る表示装置制御基板８０が備えられており、この表示装置制御基板８０に、遊技機２の外部出力端子板２９に接続された信号入力部８２と、台間機１の台間機制御基板１７に接続された第１信号出力部８３と、ホールコンピュータ７に接続された第２信号出力部８４とが接続されている。
【００３２】
遊技機２による遊技中は、遊技機２の主制御基板２５から外部出力端子板２９を介して表示装置８の信号入力部８２に、遊技機２における遊技状態に関する信号が入力される。この遊技状態に関する信号には、たとえば、始動口２０２にパチンコ球が入った旨の信号（始動口入球信号）、大当たりが発生した旨の信号（大当たり発生信号）、可変表示器２０１の図柄が停止した旨の信号（図柄確定信号）、および確変モード中である旨の信号（確変信号）などが含まれる。これらの信号を受信した表示装置制御基板８０は、液晶表示器８１の表示を制御することにより、大当たりが発生した旨を報知するための表示、遊技機２の電源が投入されてからの大当たりの発生回数の表示、所定期間中（たとえば、過去１週間）の大当たりの発生回数の表示などを行うことができる。遊技機２から表示装置８に入力された遊技状態に関する信号は、第１信号出力部８３から台間機１へと出力されるとともに、第２信号出力部８４からホールコンピュータ７へと出力される。
【００３３】
この実施形態では、台間機１の台間機制御基板１７は、表示装置８から入力された遊技状態に関する信号の中に大当たり発生信号が含まれている場合に、遊技者に所定の特典を付与するか否かを決定するための特典付与抽選を行うようになっている。この特典付与抽選の結果は、液晶表示器１６の表示によって報知される。
特典付与抽選に当選した場合、台間機制御基板１７は、その旨を表す信号（当選信号）を情報管理装置４およびホールコンピュータ７に送信するとともに、情報管理装置４には、上記当選信号の他に、特典付与抽選の当選に関する情報を表す信号（当選関連信号）を送信する。特典付与抽選の当選に関する情報には、たとえば、当選番号、当選時刻、当選した遊技機２の番号、当選した特典の種類などの情報が含まれる。台間機１に会員カード挿入口を設けた構成を採用した場合には、会員カード挿入口に挿入されている会員カードから読み出された会員番号の情報が、特典付与抽選の当選に関する情報として情報管理装置４に送信されるようになっていてもよい。情報管理装置４は、台間機１から受信した当選信号および当選関連信号に基づく情報を管理し、それらの情報を、上述した利用集計データとともにシステム管理装置５に送信する。
【００３４】
特典付与抽選に当選した場合に遊技者に付与される特典の種類には、たとえば、所定個数の賞球を遊技者に付与する（遊技機２から上皿２２に払い出す）という特典が含まれていてもよい。この特典が遊技者に付与される場合には、台間機１の台間機制御基板１７から遊技機２の球貸用中継基板２８に、上記所定個数の賞球を遊技者に付与すべき旨の信号が送信され、この信号を球貸用中継基板２８を介して受信したパチンコ球払出装置基板２７が、パチンコ球払出装置２６から上記所定個数のパチンコ球を賞球として払い出すよう制御を行うこととなる。
【００３５】
台間機１に関連して（たとえば、台間機１の内部または外部に）印字装置を設けて、特典付与抽選によって所定の特典に当選した場合に、この印字装置からサービス券が出力されるようになっていてもよい。この場合、印字装置によって出力されるサービス券は、商品や、ホールにおいて提供されるサービスなどと交換できるようになっていてもよい。
特典付与抽選に当選した場合、台間機１の液晶表示器１６に、所定の識別情報が表示されるようになっていてもよい。この場合、遊技者は、液晶表示器１６に表示された識別情報を用いて特典を受けることができるようになっていてもよい。たとえば、所定の特典に当選した場合、所定のＵＲＬ（Uniform Resource Locator）を表す２次元バーコード（いわゆるＱＲコードなど）を液晶表示器１６に表示させ、この２次元バーコードを、遊技者が所有する２次元バーコードリーダ装置を備えた携帯電話機を用いて読み取らせることができるような構成とすれば、遊技者は、携帯電話機で読み取った２次元バーコードに基づいて上記ＵＲＬにアクセスし、携帯電話機による所定の操作（たとえば、住所氏名の入力操作など）を行うことにより、システム管理会社からの景品の送付などの特典を受けることができる。
【００３６】
また、台間機１に会員カード挿入口を設けた構成を採用した場合には、所定の特典に当選した場合、会員カード挿入口に挿入されている会員カードに記憶されている会員ポイントに、所定のポイント数が加算されるといった特典が付与されるようになっていてもよい。
この実施形態では、遊技機２から表示装置８に入力される遊技状態に関する信号を、当該表示装置８から台間機１およびホールコンピュータ７に出力することができる。
【００３７】
したがって、遊技機２の設計を変更することなく、遊技機２から入力される遊技状態に関する信号に基づいて、台間機１において遊技状態に関する信号に基づく処理（特典付与抽選など）を実行することができるとともに、ホールコンピュータ７において遊技機２における遊技に関する情報を管理することができる。
従来から、ホールでは、複数台の遊技機２を設置した場合に、各遊技機２から表示装置８を介してホールコンピュータ７に遊技状態に関する信号を入力して、各遊技機２の遊技に関する情報をホールコンピュータ７で管理するようなシステムが採用されており、この実施形態によれば、上記のような従来のシステムを変更することなく、台間機１において遊技状態に関する信号に基づく処理を実行することができる。
【００３８】
特に、この実施形態では、台間機１において遊技機２から表示装置８を介して入力される信号に基づいて特典付与抽選を行い、その特典付与抽選に当選した場合に遊技者に特典を付与することができるので、遊技機２から表示装置８を介して台間機１に入力される信号に基づいて、より興趣のある遊技を行うことができる。
図４は、他の実施形態に係る表示装置８Ａの電気的構成を説明するためのブロック図である。台間機１および遊技機２については、上記実施形態と同様の構成を有しているので、図に同一符号を付して、その説明を省略する。
【００３９】
表示装置８Ａは、その前面に液晶表示器８１Ａを備えていて、この液晶表示器８１Ａに遊技機２における遊技に関する情報を表示させることができる。表示装置８Ａ内には、当該表示装置８Ａの制御を司る表示装置制御基板８０Ａが備えられており、この表示装置制御基板８０Ａに、信号入力部８２Ａおよび信号出力部８３Ａが接続されている。
この実施形態では、遊技機２の外部出力端子板２９が、上記実施形態のように表示装置８の信号入力部８２に直接接続されているのではなく、ホールに設置されたホールコンピュータ７に接続されている中継装置７Ａ（ホールコンピュータ子機）を介して、表示装置８Ａの信号入力部８２に接続されている。
【００４０】
したがって、遊技機２における遊技状態に関する信号は、中継装置７Ａを介して表示装置８Ａに入力されることとなる。また、ホールコンピュータ７で管理しているホール全体の遊技機２における遊技に関する情報も、当該ホールコンピュータ７から中継装置７Ａを介して表示装置８Ａに入力されるようになっている。表示装置８Ａは、これらの情報を液晶表示器８１Ａに表示させることができる。
【００４１】
信号出力部８３Ａは、台間機１の台間機制御基板１７に接続されていて、遊技機２から中継装置７Ａを介して表示装置８Ａに入力された遊技機２における遊技状態に関する信号は、信号出力部８３Ａを介して台間機１に入力されるようになっている。
この発明は、以上の実施形態の内容に限定されるものではなく、請求項記載の範囲内において種々の変更が可能である。
【００４２】
たとえば、表示装置８，８Ａから台間機１に入力された遊技状態に関する信号の中に大当たり発生信号が含まれている場合、台間機１は、特典付与抽選を行うような構成に限らず、他の抽選を行うようになっていてもよいし、所定の報知を行ったり、抽選を行うことなく遊技者に特典を付与するなど、他の処理を行うようになっていてもよい。
台間機１は、表示装置８，８Ａから入力される遊技状態に関する信号のうち、大当たり発生信号に基づいて所定の処理を行うような構成に限らず、他の信号（始動口入球信号、図柄確定信号、確変信号など）に基づいて所定の処理を行うような構成であってもよい。
【００４３】
図２および図３では、遊技機２の一例としてパチンコ機について説明したが、この発明は、パチンコ機に限らず、パチスロ機などの他の遊技機を含む遊技システムにも適用可能である。この場合、パチスロ機は、所定の条件が成立した場合（たとえば、始動レバーが操作された場合）に内部抽選を行い、その内部抽選に当選した場合に、その旨の信号（内部抽選当たり発生信号）が表示装置８，８Ａを介して台間機１に入力されるようになっていてもよい。
【図面の簡単な説明】
【００４４】
【図１】この発明の一実施形態に係る遊技システムの構成を示すブロック図である。
【図２】台間機、遊技機および表示装置の外観構成を示す概略正面図である。
【図３】台間機、遊技機および表示装置の電気的構成を示すブロック図である。
【図４】他の実施形態に係る表示装置の電気的構成を説明するためのブロック図である。
【符号の説明】
【００４５】
１  台間機
２  遊技機
７  ホールコンピュータ
８  表示装置
１７  台間機制御基板
８１  液晶表示器
８２  信号入力部
８３  第１信号出力部
８４  第２信号出力部
８Ａ  表示装置
８１Ａ  液晶表示器
８２Ａ  信号入力部
８３Ａ  信号出力部 
【図１】
2005296460.tif 000003
【図２】
2005296460.tif 000004
【図３】
2005296460.tif 000005
【図４】
2005296460.tif 000006